(57)【要約】  非ＩＰデータの配信のための、コアネットワークノード（２２、３６）における方法およびコアネットワークノードであって、非ＩＰデータと、非ＩＰデータが配信されることになるワイヤレスデバイス（１８）の識別子とを含むＮＩＤＤサブミット要求を受信すること（１０３）と、ワイヤレスデバイス（１８）が到達可能でないと決定すると、非ＩＰデータがワイヤレスデバイス（１８）に配信されなかったことを示すＮＩＤＤサブミット応答を送ること（１０４）と、ワイヤレスデバイス（１８）が到達可能であると決定すると、ワイヤレスデバイス（１８）が到達可能であることを示すＮＩＤＤサブミット表示を送ること（１０６）とを含む、方法およびコアネットワークノード。【選択図】図５
2019510440.tif 000002
【特許請求の範囲】
【請求項１】
コアネットワークノード（２２、３６）における、非インターネットプロトコル（非ＩＰ）データの配信のための方法であって、
非ＩＰデータと、前記非ＩＰデータが配信されることになるワイヤレスデバイス（１８）の識別子とを含む非インターネットプロトコルデータ配信（ＮＩＤＤ）サブミット要求を受信すること（１０３）と、
前記ワイヤレスデバイス（１８）が到達可能でないと決定すると、前記非ＩＰデータが前記ワイヤレスデバイス（１８）に配信されなかったことを示すＮＩＤＤサブミット応答を送ること（１０４）と、
前記ワイヤレスデバイス（１８）が到達可能であると決定すると、前記ワイヤレスデバイス（１８）が到達可能であることを示すＮＩＤＤサブミット表示を送ること（１０６）と
を含む、方法。
【請求項２】
前記ワイヤレスデバイス（１８）が到達可能であることを示す前記ＮＩＤＤサブミット表示を送ること（１０６）に続いて、
前記ワイヤレスデバイス（１８）に配信されることになる前記非ＩＰデータを含む第２のＮＩＤＤサブミット要求を受信すること（１０７）と、
前記非ＩＰデータを前記ワイヤレスデバイス（１８）に配信すること（１０８）と
をさらに含む、請求項１に記載の方法。
【請求項３】
前記ＮＩＤＤサブミット応答を送ること（１０４）は、前記応答がダウンリンクバッファリング持続時間を含むように前記応答を送ることを含む、請求項１または２に記載の方法。
【請求項４】
前記ダウンリンクバッファリング持続時間に基づいて、前記ワイヤレスデバイス（１８）のためのＭＭコンテキストにおいて、ダウンリンクバッファ満了時間についての新しい値を記憶することをさらに含む、請求項３に記載の方法。
【請求項５】
前記ネットワークノード（２２、３６）がモビリティ管理エンティティ（２２）であり、
前記ＮＩＤＤサブミット要求を受信すること（１０３）が、サービス能力公開機能（ＳＣＥＦ）（３０）またはインターワーキングＳＣＥＦ（ＩＷＫ−ＳＣＥＦ）（３２）から前記要求を受信すること（１０３）を含み、
前記ＮＩＤＤサブミット応答を送ること（１０４）が、前記ＳＣＥＦ（３０）または前記ＩＷＫ−ＳＣＥＦ（３２）に前記応答を送ることを含む、
請求項１から４のいずれか一項に記載の方法。
【請求項６】
セルラー通信ネットワーク（１０）のためのコアネットワークノード（２２、３６）であって、非インターネットプロトコル（非ＩＰ）データの配信を行い、
非ＩＰデータと、前記非ＩＰデータが配信されることになるワイヤレスデバイス（１８）の識別子とを含む非インターネットプロトコルデータ配信（ＮＩＤＤ）サブミット要求を受信することと、
前記ワイヤレスデバイス（１８）が到達可能でないと決定すると、前記非ＩＰデータが前記ワイヤレスデバイス（１８）に配信されなかったことを示すＮＩＤＤサブミット応答を送ることと、
前記ワイヤレスデバイス（１８）が到達可能であると決定すると、前記ワイヤレスデバイス（１８）が到達可能であることを示すＮＩＤＤサブミット表示を送ること（１０６）と
を動作可能に行うように適応される、コアネットワークノード（２２、３６）。
【請求項７】
前記ネットワークノード（２２、３６）が請求項２から５のいずれか一項に記載の方法を実施するようにさらに適応される、請求項６に記載のコアネットワークノード（２２、３６）。
【請求項８】
ネットワークノード（３０、３２、３６）における、非インターネットプロトコル（非ＩＰ）データの配信のための方法であって、
非ＩＰデータと、前記非ＩＰデータが配信されることになるワイヤレスデバイス（１８）の識別子とを含む第１の非インターネットプロトコルデータ配信（ＮＩＤＤ）サブミット要求を受信すること（１０１）と、
前記非ＩＰデータと、前記非ＩＰデータが配信されることになる前記ワイヤレスデバイス（１８）の識別子とを含む第２のＮＩＤＤサブミット要求をモビリティ管理エンティティ（２２）に送ること（１０３）と、
前記非ＩＰデータが前記ワイヤレスデバイス（１８）に配信されなかったことを示す第１のＮＩＤＤサブミット応答を前記モビリティ管理エンティティ（２２）から受信すること（１０４）と
を含む、方法。
【請求項９】
前記ネットワークノード（３０、３２、３６）が前記非ＩＰデータをバッファする、請求項８に記載の方法。
【請求項１０】
前記第１の要求を受信すること（１）が、サービス能力サーバ（ＳＣＳ）／アプリケーションサーバ（ＡＳ）（３４）から前記第１の要求を受信すること（１０１）を含み、前記方法が、前記ワイヤレスデバイス（１８）への前記非ＩＰデータの遅延した配信を前記ＳＣＳ／ＡＳ（３４）に通知する第２の応答を前記ＳＣＳ／ＡＳ（３４）に送ること（１０５）をさらに含む、請求項８または９に記載の方法。
【請求項１１】
前記第２の応答が、前記ワイヤレスデバイス（１８）への前記非ＩＰデータの予想される配信のための最遅時間を前記ＳＣＳ／ＡＳ（３４）にさらに通知する、請求項１０に記載の方法。
【請求項１２】
前記モビリティ管理エンティティ（２２）から前記第１のＮＩＤＤサブミット応答を受信すること（１０４）に続いて、
前記モビリティ管理エンティティ（２２）から、前記ワイヤレスデバイス（１８）が到達可能であることを示すＮＩＤＤサブミット表示を受信すること（１０６）と、
前記ワイヤレスデバイス（１８）が到達可能であることを示す前記ＮＩＤＤサブミット表示を受信する（１０６）と、前記ワイヤレスデバイス（１８）に配信されることになる前記非ＩＰデータを含む第３のＮＩＤＤサブミット要求を前記モビリティ管理エンティティ（２２）に送ること（１０７）と
をさらに含む、請求項８から１１のいずれか一項に記載の方法。
【請求項１３】
前記モビリティ管理エンティティ（２２）から受信された前記第１のＮＩＤＤ応答が、前記ネットワークノード（３０、３２、３６）における前記非ＩＰデータのためのバッファリング時間を制御するために前記ネットワークノード（３０、３２、３６）によって使用されるダウンリンクバッファリング持続時間を含む、請求項８から１２のいずれか一項に記載の方法。
【請求項１４】
前記非ＩＰデータが前記ネットワークノード（３０、３２、３６）においてバッファされ、前記方法は、前記ダウンリンクバッファリング持続時間の満了時に前記非ＩＰデータが前記ワイヤレスデバイス（１８）に配信されたという応答を前記モビリティ管理エンティティ（２２）から受信すると、前記ネットワークノード（３０、３２、３６）における前記バッファから前記非ＩＰデータを削除することをさらに含む、請求項８から１３のいずれか一項に記載の方法。
【請求項１５】
前記ネットワークノード（３０、３２、３６）がサービス能力公開機能（ＳＣＥＦ）（３０）またはインターワーキングＳＣＥＦ（ＩＷＫ−ＳＣＥＦ）（３２）である、請求項８から１４のいずれか一項に記載の方法。
【請求項１６】
セルラー通信ネットワーク（１０）のためのネットワークノード（３０、３２、３６）であって、非インターネットプロトコル（非ＩＰ）データの配信を行い、
非ＩＰデータと、前記非ＩＰデータが配信されることになるワイヤレスデバイス（１８）の識別子とを含む第１のインターネットプロトコルデータ配信（ＮＩＤＤ）サブミット要求を受信すること（１）と、
前記非ＩＰデータと、前記非ＩＰデータが配信されることになる前記ワイヤレスデバイス（１８）の識別子とを含む第２のＮＩＤＤサブミット要求をモビリティ管理エンティティ（２２）に送ること（１０３）と、
前記非ＩＰデータが前記ワイヤレスデバイス（１８）に配信されなかったことを示す第１のＮＩＤＤＦサブミット応答を前記モビリティ管理エンティティ（２２）から受信すること（１０４）と
を動作可能に行うように適応される、ネットワークノード（３０、３２、３６）。
【発明の詳細な説明】
【技術分野】
【０００１】
本開示は、セルラー通信ネットワークに関し、特に、セルラー通信ネットワークにおけるデータの配信に関する。
【背景技術】
【０００２】
第３世代パートナーシッププロジェクト（３ＧＰＰ）仕様は、最近、セルラーモノのインターネット（ＣＩｏＴ）エボルブドパケットシステム（ＥＰＳ）最適化の一部として非インターネットプロトコル（ＩＰ）（非ＩＰ）データ配信（ＮＩＤＤ：Ｎｏｎ−ＩＰ  Ｄａｔａ  Ｄｅｌｉｖｅｒｙ）のサポートを提供した。特に、３ＧＰＰ技術仕様（ＴＳ）２３．６８２  Ｖ１３．５．０、節５．１３．３は、「モバイル終端（Ｍｏｂｉｌｅ  Ｔｅｒｍｉｎａｔｅｄ）非インターネットプロトコル（ＩＰ）データ配信（ＮＩＤＤ）プロシージャ」を規定し、これは図１に示されている。このプロシージャにおいて、サービス能力サーバ（ＳＣＳ：Ｓｅｒｖｉｃｅ  Ｃａｐａｂｉｌｉｔｙ  Ｓｅｒｖｅｒ）／アプリケーションサーバ（ＡＳ）が、外部識別子または移動局（ＭＳ：Ｍｏｂｉｌｅ  Ｓｔａｔｉｏｎ）国際加入者ディレクトリ番号（ＩＳＤＮ：Ｉｎｔｅｒｎａｔｉｏｎａｌ  Ｓｕｂｓｃｒｉｂｅｒ  Ｄｉｒｅｃｔｏｒｙ  Ｎｕｍｂｅｒ）（ＭＳＩＳＤＮ）によって識別される特定のユーザ機器デバイス（ＵＥ）に非ＩＰデータを送る。
【０００３】
３ＧＰＰ仕様は、マシン型通信（ＭＴＣ）ＵＥなどのＵＥのためのいくつかの電力節約特徴をも規定し、これは、ＣＩｏＴにおいて重要な役割を果たすことになる。これらの特徴のうちの２つは、拡張間欠受信（ｅＤＲＸ）と電力節約モード（ＰＳＭ）とである。ｅＤＲＸおよびＰＳＭのための原理は、要するに、ｅＤＲＸ対応ＵＥおよび／またはＰＳＭ対応ＵＥに、短い時間期間の間にのみ無線送信をリッスンさせることによって、エネルギーを節約することである。これはまた、ＵＥがこれらの短い期間の間にのみページングを受けやすいことを意味する。
【０００４】
より詳細には、図２は、間欠受信（ＤＲＸ）サイクルの図式図である。図２からわかるように、ＵＥは、ＤＲＸサイクルのＤＲＸオン持続時間の間に物理ダウンリンク制御チャネル（ＰＤＣＣＨ）を監視する。ＤＲＸモードにある間（すなわち、ＵＥがＤＲＸオフ状態にあるとき）、ＵＥは低電力消費モードのままである。ＤＲＸでは、ＵＥは、ＰＤＣＣＨを周期的に監視するにすぎず、その場合、いくぶん短い時間の間監視する。ＵＥがＰＤＣＣＨを監視する周期性は、ＤＲＸサイクルによって決められる。各ＤＲＸサイクルについて、ＵＥがその間にページングを受けやすい１つのページングオケージョン（ＰＯ）が生じる。特に、ＤＲＸサイクルの間に、ＵＥは、すべてのスケジュールリングおよびページング情報が送信される一定の時間期間の間動作可能である。この時間期間は、ＤＲＸオン持続時間と呼ばれる。ＤＲＸオン持続時間の間に、ＵＥは、本明細書では、ＤＲＸオン状態にあるものと呼ばれる。ＤＲＸサイクルにおける別の時間期間の間に、ネットワーク（たとえば、エンハンストまたはエボルブドノードＢ（ｅＮＢ）（すなわち、基地局）および、モビリティ管理エンティティ（ＭＭＥ）などのコアネットワークノード）は、ＵＥが完全にオフにされ、何も受信することができないことを知る。この時間期間は、ＤＲＸ時間またはＤＲＸオフ持続時間と呼ばれる。さらに、ＤＲＸ時間の間に、ＵＥは、本明細書では、ＤＲＸオフ状態、または単にオフ状態にあるものと呼ばれる。ＤＲＸオフにあるときを除いて、ＵＥ無線機は、ＰＤＣＣＨを監視するために（たとえば、たとえばページング要求を識別するために）アクティブであるべきである。ＤＲＸオフの間に、ＵＥ無線機はオフにされ得、ｅＮＢおよびＭＭＥはＵＥ無線機がアクティブでないことを知っているので、ｅＮＢはＵＥをスケジュールせず、ＭＭＥもＵＥをページングしない。ＤＲＸオン持続時間はオン持続時間タイマーによって規定され、したがって、ＤＲＸオン持続時間は、本明細書ではオン持続時間タイマーと呼ばれることがある。オン持続時間タイマーは、ＵＥがＰＤＣＣＨ送信を監視するためにその間にオン状態にあることになるＤＲＸサイクルの最初の連続する（１つまたは複数の）ＰＤＣＣＨサブフレームの数を指定する。ｅＤＲＸでは、（本明細書ではｅＤＲＸサイクルと呼ばれることがある）ＤＲＸサイクルは、５２分もの長い間であり得る。したがって、ｅＤＲＸ機能は、ＵＥのバッテリー電力使用を低減するのに有効なやり方である。
【０００５】
図３は、３ＧＰＰによって規定されたＰＳＭを示す。図示のように、ＰＳＭ対応ＵＥがＰＳＭを使用することを望む場合、ＵＥ（詳細にはＵＥ非アクセス層（ＮＡＳ））は、アクティブ時間値と、随意に周期トラッキングエリア更新（ｐＴＡＵ）タイマー値とについての要求をセルラー通信ネットワークのＭＭＥに送る。
【０００６】
ＰＳＭがＵＥについて許容できる場合、ＭＭＥは、アクティブ時間値およびｐＴＡＵタイマー値を返す。（ＥＣＭ＿ＣＯＮＮＥＣＴＥＤと呼ばれる）接続モードから（ＥＣＭ＿ＩＤＬＥと呼ばれる）アイドルモードに遷移すると、ＵＥは、アクティブ時間値に設定されるアクティブタイマーと、ＭＭＥから受信されたｐＴＡＵタイマー値に設定されるｐＴＡＵタイマーとを開始する。ＵＥの無線機はアクティブのままであり、ＵＥは、アクティブタイマーが満了するまで通常アイドルモードプロシージャを実施する。アクティブタイマーが満了すると、ＵＥは、ＵＥの無線機を非アクティブ化し、ＵＥはＰＳＭに入る。ＰＳＭの間に、モバイル発信（ＭＯ）呼が行われることがあり、その場合、ＵＥ（詳細にはＵＥ  ＡＳ）は、アイドルモードプロシージャを再アクティブ化する。ｐＴＡＵタイマーが満了すると、ＵＥ（詳細にはＵＥ  ＡＳ）は、アイドルモードプロシージャを再開し、それにより、ＰＳＭから出る。
【０００７】
したがって、ＰＳＭでは、ＵＥは、接続モードからアイドルモードに遷移した後にほんの短い間（すなわち、アクティブ時間の間）無線機をリッスンする。ＵＥは、ＵＥがデータを送ることを望むとき、または、ｐＴＡＵ（および／または周期ルーティングエリア更新（ｐＲＡＵ：ｐｅｒｉｏｄｉｃ  Ｒｏｕｔｉｎｇ  Ａｒｅａ  Ｕｐｄａｔｅ））を送るべき時間であるとき、接続モードに戻る。ＵＥはまた、ＵＥのアクティブ時間の間にページングされることの結果として、アイドルモードから接続モードに遷移し得る。エネルギー消費をさらに低減するために、いくつかのあらかじめ規定された期間においてデータを送るにすぎないＭＴＣデバイスは、アップリンクデータ時間期間よりもわずかに長いｐＴＡＵ／ｐＲＡＵタイムアウトを設定し得、これは、ｐＴＡＵ／ｐＲＡＵを送ることが省略され得ることを意味し、それにより、電力消費をさらに低減するからである。
【０００８】
ｅＤＲＸおよびＰＳＭの結果として、ＵＥは、図１のモバイル終端ＮＩＤＤプロシージャによる非ＩＰデータの配信のために利用可能でないことがある。特に、ＭＭＥが、図１のステップ３において、特定のＵＥに配信されることになる非ＩＰデータを含む、ＮＩＤＤサブミット要求を受信したとき、ＭＭＥは、そのＵＥが（ｅＤＲＸについて）ＤＲＸオフ状態にあるか、または（ＰＳＭ動作について）ＰＳＭにあるので、そのＵＥに達することができないことがある。したがって、３ＧＰＰ  ＴＳ  ２３．６８２  Ｖ１３．５．０において指定された現在のモバイル終端ＮＩＤＤプロシージャは、電力節約デバイス（すなわち、ＰＳＭおよびｅＤＲＸにおいて動作するデバイス）をハンドリングする効率的なやり方を提示しない。
【発明の概要】
【０００９】
第３世代パートナーシッププロジェクト（３ＧＰＰ）リリース１３における制御プレーンセルラーモノのインターネット（ＣＩｏＴ）エボルブドパケットシステム（ＥＰＳ）最適化の導入に伴って、受信デバイスが電力節約モード（ＰＳＭ）または拡張間欠受信（ｅＤＲＸ）などの電力節約機能を使用する場合に、どのようにダウンリンクユーザデータがハンドリングされるものとするかの問題がある。
【００１０】
サービングゲートウェイ（Ｓ−ＧＷ）／パケットデータネットワーク（ＰＤＮ）ゲートウェイ（Ｐ−ＧＷ）を介したダウンリンクデータの処理と整合されるバッファハンドリングが導入される。また、ＣＩｏＴユーザ機器デバイス（ＵＥ）がＰＳＭまたはｅＤＲＸを使用しているときにバッファリングを管理するための追加シグナリングが与えられる。
【００１１】
サービングネットワークインターワーキング（ＩＷＫ）サービス能力公開機能（ＳＣＥＦ：Ｓｅｒｖｉｃｅ  Ｃａｐａｂｉｌｉｔｙ  Ｅｘｐｏｓｕｒｅ  Ｆｕｎｃｔｉｏｎ）における導入されたバッファリングは、データがＭＭＥにおいてバッファされるときにモビリティ管理エンティティ（ＭＭＥ）サービスエリア上のモビリティのデータ損失を回避するように働く。
【００１２】
したがって、第１の実施形態は、非インターネットプロトコル（非ＩＰ）データの配信のための、コアネットワークノードにおける方法を対象とする。本方法は、非ＩＰデータと、非ＩＰデータが配信されることになるワイヤレスデバイスの識別子とを含む非インターネットプロトコルデータ配信（ＮＩＤＤ）サブミット要求を受信することと、ワイヤレスデバイスが到達可能でないと決定すると、非ＩＰデータがワイヤレスデバイスに配信されなかったことを示すＮＩＤＤサブミット応答を送ることと、ワイヤレスデバイスが到達可能であると決定すると、ワイヤレスデバイスが到達可能であることを示すＮＩＤＤサブミット表示を送ることとを含む。
【００１３】
別の実施形態は、セルラー通信ネットワークのためのコアネットワークノードを対象とする。本コアネットワークノードは、非ＩＰデータの配信を行い、ネットワークインターフェースと、１つまたは複数のプロセッサと、１つまたは複数のプロセッサによって実行可能な命令を記憶するメモリとを含み、それにより、本コアネットワークノードは、ネットワークインターフェースを介して、非ＩＰデータと、非ＩＰデータが配信されることになるワイヤレスデバイスの識別子とを含むＮＩＤＤサブミット要求を受信することと、ワイヤレスデバイスが到達可能でないと決定すると、ネットワークインターフェースを介して、非ＩＰデータがワイヤレスデバイスに配信されなかったことを示すＮＩＤＤサブミット応答を送ることと、ワイヤレスデバイスが到達可能であると決定すると、ワイヤレスデバイスが到達可能であることを示すＮＩＤＤサブミット表示を送ることとを行うように動作可能である。
【００１４】
別の実施形態は、セルラー通信ネットワークのためのコアネットワークノードを対象とする。本コアネットワークノードは、非ＩＰデータの配信を行い、非ＩＰデータと、非ＩＰデータが配信されることになるワイヤレスデバイスの識別子とを含むＮＩＤＤサブミット要求を受信することと、ワイヤレスデバイスが到達可能でないと決定すると、非ＩＰデータがワイヤレスデバイスに配信されなかったことを示すＮＩＤＤサブミット応答を送ることと、ワイヤレスデバイスが到達可能であると決定すると、ワイヤレスデバイスが到達可能であることを示すＮＩＤＤサブミット表示を送ることとを行うように適応される。
【００１５】
別の実施形態は、セルラー通信ネットワークのためのコアネットワークノードを対象とする。本コアネットワークノードは、非ＩＰデータの配信を行い、非ＩＰデータと、非ＩＰデータが配信されることになるワイヤレスデバイスの識別子とを含むＮＩＤＤサブミット要求を受信するための手段と、ワイヤレスデバイスが到達可能でないと決定すると、非ＩＰデータがワイヤレスデバイスに配信されなかったことを示すＮＩＤＤサブミット応答を送るための手段と、ワイヤレスデバイス（１８）が到達可能であると決定すると、ワイヤレスデバイス（１８）が到達可能であることを示すＮＩＤＤサブミット表示を送る（１０６）ための手段とを含む。
【００１６】
別の実施形態は、セルラー通信ネットワークのためのコアネットワークノードを対象とする。本コアネットワークノードは、非ＩＰデータの配信を行い、非ＩＰデータと、非ＩＰデータが配信されることになるワイヤレスデバイスの識別子とを含むＮＩＤＤサブミット要求を受信するように動作可能な要求受信モジュールと、ワイヤレスデバイスが到達可能でないと決定すると、非ＩＰデータがワイヤレスデバイスに配信されなかったことを示すＮＩＤＤサブミット応答を送るように動作可能な応答送信モジュールとを含み、受信モジュールは、ワイヤレスデバイスが到達可能であると決定すると、ワイヤレスデバイスが到達可能であることを示すＮＩＤＤサブミット表示を送るように動作可能である。
【００１７】
別の実施形態は、非ＩＰデータの配信のための、ネットワークノードにおける方法を対象とする。本方法は、非ＩＰデータと、非ＩＰデータが配信されることになるワイヤレスデバイスの識別子とを含む第１のＮＩＤＤサブミット要求を受信することと、非ＩＰデータと、非ＩＰデータが配信されることになるワイヤレスデバイスの識別子とを含む第２のＮＩＤＤサブミット要求をモビリティ管理エンティティに送ることと、非ＩＰデータがワイヤレスデバイスに配信されなかったことを示す第１のＮＩＤＤサブミット応答をモビリティ管理エンティティから受信することとを含む。
【００１８】
別の実施形態は、セルラー通信ネットワークのためのネットワークノードを対象とする。本ネットワークノードは、非ＩＰデータの配信を行い、ネットワークインターフェースと、１つまたは複数のプロセッサと、１つまたは複数のプロセッサによって実行可能な命令を記憶するメモリとを含み、それにより、本ネットワークノードは、非ＩＰデータと、非ＩＰデータが配信されることになるワイヤレスデバイスの識別子とを含む第１のＮＩＤＤサブミット要求を受信することと、非ＩＰデータと、非ＩＰデータが配信されることになるワイヤレスデバイスの識別子とを含む第２のＮＩＤＤサブミット要求をモビリティ管理エンティティに送ることと、非ＩＰデータがワイヤレスデバイスに配信されなかったことを示す第１のＮＩＤＤサブミット応答をモビリティ管理エンティティから受信することとを行うように動作可能である。
【００１９】
別の実施形態は、セルラー通信ネットワークのためのネットワークノードを対象とする。本ネットワークノードは、非ＩＰデータの配信を行い、非ＩＰデータと、非ＩＰデータが配信されることになるワイヤレスデバイスの識別子とを含む第１のＮＩＤＤサブミット要求を受信することと、非ＩＰデータと、非ＩＰデータが配信されることになるワイヤレスデバイスの識別子とを含む第２のＮＩＤＤサブミット要求をモビリティ管理エンティティに送ることと、非ＩＰデータがワイヤレスデバイスに配信されなかったことを示す第１のＮＩＤＤＦサブミット応答をモビリティ管理エンティティから受信することとを行うように適応される。
【００２０】
別の実施形態は、セルラー通信ネットワークのためのネットワークノードを対象とする。本ネットワークノードは、非ＩＰデータの配信を行い、非ＩＰデータと、非ＩＰデータが配信されることになるワイヤレスデバイスの識別子とを含む第１のＮＩＤＤサブミット要求を受信するための手段と、非ＩＰデータと、非ＩＰデータが配信されることになるワイヤレスデバイスの識別子とを含む第２のＮＩＤＤサブミット要求をモビリティ管理エンティティに送るための手段と、非ＩＰデータがワイヤレスデバイスに配信されなかったことを示す第１のＮＩＤＤサブミット応答をモビリティ管理エンティティから受信するための手段とを含む。
【００２１】
別の実施形態は、セルラー通信ネットワークのためのネットワークノードを対象とする。本ネットワークノードは、非ＩＰデータの配信を行い、非ＩＰデータと、非ＩＰデータが配信されることになるワイヤレスデバイスの識別子とを含む第１のＮＩＤＤサブミット要求を受信するように動作可能な要求受信モジュールと、非ＩＰデータと、非ＩＰデータが配信されることになるワイヤレスデバイス（１８）の識別子とを含む第２のＮＩＤＤサブミット要求をモビリティ管理エンティティに送るように動作可能な要求送信モジュールと、非ＩＰデータがワイヤレスデバイスに配信されなかったことを示す第１のＮＩＤＤサブミット応答をモビリティ管理エンティティから受信するように動作可能な応答受信モジュールとを含む。
【００２２】
当業者は、添付の図面に関連して実施形態の以下の詳細な説明を読めば、本開示の範囲を諒解し、その追加の態様を了解されよう。
【００２３】
本明細書に組み込まれ、本明細書の一部をなす添付の図面は、本開示のいくつかの態様を示し、説明とともに本開示の原理について解説するように働く。
【図面の簡単な説明】
【００２４】
【図１】第３世代パートナーシッププロジェクト（３ＧＰＰ）技術仕様（ＴＳ）２３．６８２  Ｖ１３．５．０において規定されているモバイル終端非インターネットプロトコル（非ＩＰ）データ配信（ＮＩＤＤ）プロシージャを示す図である。
【図２】間欠受信（ＤＲＸ）、特に、３ＧＰＰ仕様によって提供される拡張ＤＲＸ（ｅＤＲＸ）を示す図である。
【図３】３ＧＰＰ仕様によって提供される電力節約モード（ＰＳＭ）を示す図である。
【図４】本開示の実施形態が実装されるセルラー通信ネットワークの一例を示す図である。
【図５】本開示のいくつかの実施形態による、電力節約デバイスを効率的にハンドリングするモバイル終端ＮＩＤＤプロシージャを示す図である。
【図６】ネットワークノードの例示的な実施形態のブロック図である。
【図７】ネットワークノードの例示的な実施形態のブロック図である。
【図８】ワイヤレスデバイスの例示的な実施形態のブロック図である。
【図９】ワイヤレスデバイスの例示的な実施形態のブロック図である。
【発明を実施するための形態】
【００２５】
下記に記載される実施形態は、当業者が本実施形態を実践することができるようにするための情報を表し、本実施形態を実践する最良の様式を示す。添付の図面に照らして以下の説明を読むと、当業者は、本開示の概念を理解し、本明細書では特に扱われないこれらの概念の適用例を認識されよう。これらの概念および適用例は、本開示の範囲内に入ることを理解されたい。
【００２６】
無線ノード：本明細書で使用される「無線ノード」は、無線アクセスノードまたはワイヤレスデバイスのいずれかである。
【００２７】
無線アクセスノード：本明細書で使用される「無線アクセスノード」は、信号をワイヤレスに送信および／または受信するように動作する、セルラー通信ネットワークの無線アクセスネットワークにおける何らかのノードである。無線アクセスノードのいくつかの例は、限定はしないが、基地局（たとえば、第３世代パートナーシッププロジェクト（３ＧＰＰ）Ｌｏｎｇ  Ｔｅｒｍ  Ｅｖｏｌｕｔｉｏｎ（ＬＴＥ）ネットワークにおけるエンハンストまたはエボルブドノードＢ（ｅＮＢ））と、高電力またはマクロ基地局と、低電力基地局（たとえば、マイクロ基地局、ピコ基地局、ホームｅＮＢなど）と、リレーノードとを含む。
【００２８】
ワイヤレスデバイス：本明細書で使用される「ワイヤレスデバイス」は、（１つまたは複数の）無線アクセスノードに対して信号をワイヤレスに送信および／または受信することによって、セルラー通信ネットワークへのアクセスを有する（すなわち、セルラー通信ネットワークによってサーブされる）何らかのタイプのデバイスである。ワイヤレスデバイスのいくつかの例は、限定はしないが、３ＧＰＰ  ＬＴＥネットワークにおけるユーザ機器デバイス（ＵＥ）と、マシン型通信（ＭＴＣ）デバイスとを含む。
【００２９】
ネットワークノード：本明細書で使用される「ネットワークノード」は、セルラー通信ネットワーク／システムの無線アクセスネットワークまたはコアネットワークのいずれかの一部である何らかのノードである。
【００３０】
非インターネットプロトコル（非ＩＰ）データ：本明細書で使用される「非ＩＰデータ」は、たとえば、３ＧＰＰネットワークにおけるエボルブドパケットシステム（ＥＰＳ）の見地から構造化されていないデータである。たとえば、「非ＩＰデータ」という用語は、上述の３ＧＰＰ  ＴＳ  ２３．６８２  Ｖ１３．５．０などの３ＧＰＰ仕様において通常使用される。
【００３１】
本明細書で与えられる説明は３ＧＰＰセルラー通信システムに焦点を当て、したがって、３ＧＰＰ  ＬＴＥ用語または３ＧＰＰ  ＬＴＥ用語に類似した用語がしばしば使用されることに留意されたい。しかしながら、本明細書で開示される概念は、ＬＴＥにも３ＧＰＰシステムにも限定されない。
【００３２】
なお、本明細書の説明では、「セル」という用語に対して、参照が行われ得ることに留意されたい。しかしながら、特に第５世代（５Ｇ）概念に関して、ビームがセルの代わりに使用されることがあり、したがって、本明細書で説明される概念は、セルとビームの両方に等しく適用可能であることに留意することが重要である。
【００３３】
３ＧＰＰリリース１３における制御プレーンセルラーモノのインターネット（ＣＩｏＴ）ＥＰＳ最適化の導入に伴って、受信デバイスが電力節約モード（ＰＳＭ）または拡張間欠受信（ｅＤＲＸ）などの電力節約機能を使用する場合に、どのようにダウンリンクユーザデータがハンドリングされるものとするかの問題がある。特に、３ＧＰＰ技術仕様（ＴＳ）２３．６８２  Ｖ１３．５．０において指定された現在のモバイル終端非ＩＰデータ配信（ＮＩＤＤ）プロシージャは、電力節約デバイス（すなわち、ＰＳＭおよびｅＤＲＸにおいて動作するデバイス）をハンドリングする効率的なやり方を提示しない。監視イベントを使用して多くのシグナリングが必要とされ、非ＩＰデータはホームネットワークサービス能力公開機能（ＳＣＥＦ）においてバッファされる。さらに、モビリティ管理エンティティ（ＭＭＥ）では、ＳＣＥＦから発信したダウンリンクデータの提案されるハンドリングは、サービングゲートウェイ（Ｓ−ＧＷ）／パケットデータネットワーク（ＰＤＮ）ゲートウェイ（Ｐ−ＧＷ）から発信したダウンリンクデータのハンドリングとは異なる。これは、ＭＭＥ実装形態の複雑さを増す。
【００３４】
本開示は、ＭＭＥとＳ−ＧＷとの間のバッファハンドリングからのいくつかの原理を使用する（３ＧＰＰ  ＴＳ  ２３．４０１  Ｖ１３．６．０、節５．３．４．３「ネットワークトリガ型サービス要求」、たとえばステップ２参照）。本開示は、ＭＭＥからハンドリングされるＳＣＥＦ／インターワーキング（ＩＷＫ）ＳＣＥＦバッファリングのために、それの変更バージョンを使用する。
【００３５】
図４は、本開示の実施形態が実装され得るセルラー通信ネットワーク１０の一例を示す。この例では、セルラー通信ネットワーク１０は、３ＧＰＰ  ＬＴＥネットワークであるが、本開示は３ＧＰＰ  ＬＴＥネットワークに限定されない。図示のように、セルラー通信ネットワーク１０は無線アクセスネットワーク（ＲＡＮ）を含み、ＲＡＮは、この例では、エンハンストまたはエボルブドユニバーサル地上波ＲＡＮ（Ｅ−ＵＴＲＡＮ）１２である。Ｅ−ＵＴＲＡＮ１２は、３ＧＰＰ用語ではｅＮＢ１４と呼ばれるいくつかの基地局を含み、ｅＮＢ１４は対応するセル１６をサーブする。ｅＮＢ１４は、３ＧＰＰ用語ではＵＥ１８と呼ばれるワイヤレスデバイスに無線アクセスを提供し、ＵＥ１８はそれぞれのセル１６中にある。ｅＮＢ１４は、３ＧＰＰ  ＬＴＥではＸ２インターフェースと呼ばれる基地局間インターフェースを介して通信する。ｅＮＢ１４はまた、Ｓ１インターフェースを介して、３ＧＰＰ  ＬＴＥではエボルブドパケットコア（ＥＰＣ）２０と呼ばれるコアネットワークに接続される。
【００３６】
ＥＰＣ２０は、たとえば、１つまたは複数のＭＭＥ２２と、１つまたは複数のＳ−ＧＷ２４と、１つまたは複数のＰ−ＧＷ２６と、１つまたは複数のホーム加入者サーバ（ＨＳＳ）２８と、１つまたは複数のＳＣＥＦ３０と、１つまたは複数のＩＷＫ−ＳＣＥＦ３２と、１つまたは複数のサービス能力サーバ（ＳＣＳ）／アプリケーションサーバ（ＡＳ）３４とを含む様々なコアネットワークノードを含む。
【００３７】
いくつかの実施形態では、ＵＥ１８のうちの少なくともいくつかは、電力節約特徴能力（たとえば、ｅＤＲＸ能力および／またはＰＳＭ能力）を有する。さらに、いくつかの特定の実施形態では、ＵＥ１８は、ＣＩｏＴにおいて動作するデバイスなど、ＭＴＣデバイスである。
【００３８】
上記で説明されたように、３ＧＰＰ仕様は、現在、ＣＩｏＴのためのＥＰＳ最適化の一部としてＮＩＤＤをサポートする。特に、３ＧＰＰ  ＴＳ  ２３．６８２  Ｖ１３．５．０は、非ＩＰデータがＳＣＳ／ＡＳ３４から特定のＵＥ１８に配信されるモバイル終端ＮＩＤＤプロシージャを規定する。しかしながら、ＵＥ１８がｅＤＲＸ能力および／またはＰＳＭ能力を有する場合、ＵＥ１８は、ＭＭＥ２２がプロシージャのステップ３（図１参照）においてＵＥ１８に非ＩＰデータを送ることを望むとき、到達可能でないことがある。したがって、電力節約能力を有するＵＥ１８への非ＩＰデータの配信を効率的にハンドリングするモバイル終端ＮＩＤＤプロシージャの必要がある。
【００３９】
この点について、図５は、本開示のいくつかの実施形態による、モバイル終端ＮＩＤＤプロシージャを示す。より詳細には、図５は、ＳＣＳ／ＡＳ３４が、外部識別子または移動局国際加入者ディレクトリ番号（ＩＳＤＮ）（ＭＳＩＳＤＮ）を介して識別される、所与のユーザ、またはＵＥ１８に非ＩＰデータを送るときのプロシージャを示す。このプロシージャは、３ＧＰＰ  ＴＳ  ２３．６８２  Ｖ１３．５．０、節５．１３．１におけるプロシージャが完了したと仮定する。
【００４０】
注１：ＳＣＳ／ＡＳ３４との対話（たとえば、図５のステップ１、５、および１０）は、３ＧＰＰの範囲外であり、説明的目的のために示されているにすぎない。
【００４１】
ステップ１０１：ＳＣＳ／ＡＳ３４が所与のＵＥ１８のためのＮＩＤＤサービスをすでにアクティブ化し、ＵＥ１８に送ることになるダウンリンク非ＩＰデータを有する場合、ＳＣＳ／ＡＳ３４は、ＮＩＤＤサブミット要求（外部識別子またはＭＳＩＳＤＮ、ＳＣＳ／ＡＳ参照識別子（ＩＤ）、非ＩＰデータ）メッセージをＳＣＥＦ３０に送る。
【００４２】
ステップ１０２：図５のステップ１０１に含まれる外部識別子またはＭＳＩＳＤＮに対応する有効なＳＣＥＦ  ＥＰＳベアラコンテキストが見つけられた場合、ＳＣＥＦ３０は、ＳＣＳ／ＡＳ３４がＮＩＤＤ要求を送ることを許可されるかどうかと、ＳＣＳ３４がデータサブミッションのその割当て量（たとえば、２４時間で２００バイト）またはレート（たとえば、１０バイト／時間）を超えていないことを検査する。この検査が失敗した場合、ＳＣＥＦ３０は、障害状態の理由を示す原因値をもつＮＩＤＤ応答を送り、フローはこのステップにおいて停止する。他の場合、フローはステップ１０３を続ける。
【００４３】
有効なＳＣＥＦ  ＥＰＳベアラコンテキストが見つけられなかった場合、ＳＣＥＦ３０は、構成に応じて、以下のいずれかを行い得る。
・  適切なエラー原因値をもつＮＩＤＤ応答を送る。フローはこのステップにおいて停止する、または
・  ＳＣＥＦ３０に向かう非ＩＰ  ＰＤＮ接続を確立するために（Ｔ４ショートメッセージサービス（ＳＭＳ）トリガ、３ＧＰＰ  ＴＳ  ２３．６８２、節５．２．２参照、を使用して）ＵＥ１８に向かってデバイストリガリングを実施する。この場合、適切な原因値をもつステップ１０６が実行される、または
・  ＮＩＤＤサブミット要求を受け付け、適切な原因値をもつステップ１０６を実行し、ＵＥ１８が、ＳＣＥＦ３０に対するＰＤＮ接続の確立を引き起こすプロシージャ（３ＧＰＰ  ＴＳ  ２３．４０１  Ｖ１３．６．０参照）を実施するのを待つ（３ＧＰＰ  ＴＳ  ２３．６８２、節５．１３．１．２参照）。
【００４４】
注２：ＳＣＥＦ３０が所与のＵＥ１８のためのＳＣＥＦ３０に対するＰＤＮ接続の確立を待ち得る持続時間は、実装形態依存である。
【００４５】
ステップ１０３：ステップ１０１に含まれる外部ＩＤまたはＭＳＩＳＤＮに対応する有効なＳＣＥＦ  ＥＰＳベアラコンテキストが見つけられた場合、ＳＣＥＦ３０は、ＮＩＤＤサブミット要求（ユーザＩＤ、ＥＰＳベアラＩＤ、ＳＣＥＦ  ＩＤ、非ＩＰデータ）メッセージをＭＭＥ２２に向けて送る。ＳＣＥＦ３０（または、経路中にある場合、ＩＷＫ−ＳＣＥＦ３２）は、受信された非ＩＰデータをバッファする。ＳＣＥＦ３０／ＩＷＫ−ＳＣＥＦ３２は、非ＩＰデータのコピーをもつＮＩＤＤサブミット要求メッセージをＭＭＥ２２に送る。
【００４６】
ＩＷＫ−ＳＣＥＦ３２がＳＣＥＦ３０からＮＩＤＤサブミット要求メッセージを受信した場合、ＩＷＫ−ＳＣＥＦ３２は、非ＩＰデータをバッファし、メッセージをＭＭＥ２２に中継する。
【００４７】
ステップ１０４：ＭＭＥ２２が非ＩＰデータをＵＥ１８に直ちに配信することができる場合、プロシージャはステップ１０８に進む。ＵＥ１８が電力節約状態にあり、ＭＭＥ２２がデータをＵＥ１８に直ちに配信することができない場合、ＭＭＥ２２は、データがＵＥ１８に配信されなかったことを示すためにＮＩＤＤサブミット応答（ダウンリンクバッファリング持続時間）メッセージをＳＣＥＦ３０／ＩＷＫ−ＳＣＥＦ３２に向けて送る。表示は、たとえば、例示されるように「ダウンリンクバッファリング持続時間」であり得るが、表示は、データがＵＥ１８に配信されなかったことを示すことが可能な任意の好適な情報であり得る。ＭＭＥ２２は、ダウンリンクバッファリング持続時間に基づいて、ＵＥ１８のためのＭＭコンテキストにおいて、ダウンリンクＳＣＥＦバッファ満了時間についての新しい値を記憶する。ＭＭコンテキストは３ＧＰＰ  ＴＳ  ２３．４０１、セクション５．７．２において説明され、ＳＧＷを介した対応するバッファ時間「ＤＬデータバッファ満了時間」についての行が存在する。バッファ時間は、サブスクリプション、または負荷などの他の情報によって、ＵＥ１８のスリープ時間に基づいて、ＭＭＥ２２においてローカルポリシーによって決められ得ることに留意されたい。ＭＭＥ２２は、ＳＣＥＦ３０／ＩＷＫ−ＳＣＥＦ３２にバッファ時間を与え、それにより、非ＩＰデータをバッファするための持続時間をＳＣＥＦ３０／ＩＷＫ−ＳＣＥＦ３２に通知する。
【００４８】
ＮＩＤＤサブミット応答メッセージにおいてダウンリンクバッファリング持続時間を受信したＳＣＥＦ３０／ＩＷＫ−ＳＣＥＦ３２は、ダウンリンクバッファリング持続時間に基づいてダウンリンクデータバッファ満了時間についての新しい値を記憶し得、ダウンリンクデータバッファ満了時間がＵＥ１８について満了する前に後続のＮＩＤＤサブミット要求がＳＣＥＦ３０／ＩＷＫ−ＳＣＥＦ３２において受信される場合、追加のＮＩＤＤサブミット要求を送らない。
【００４９】
ＩＷＫ−ＳＣＥＦ３２がＭＭＥ２２からＮＩＤＤサブミット応答を受信した場合、ＩＷＫ−ＳＣＥＦ３２は、データがＵＥ１８にまだ配信されていないことと、データがバッファされ、新しい配信が、ＵＥ１８が到達可能になるとき、すなわち、「ダウンリンクバッファリング持続時間」内に試みられることとを示すＮＩＤＤサブミット応答（ダウンリンクバッファリング持続時間）メッセージをＳＣＥＦ３０に送り得る。
【００５０】
ステップ１０５：ＳＣＥＦ３０は、遅延した配信と予想される配信のための最遅時間とを通知するＮＩＤＤサブミット応答をＳＣＳ／ＡＳ３４に送り得る。
【００５１】
ステップ１０６：ＭＭＥ２２が、ＵＥ１８が到達可能になり、データがＵＥ１８に配信され得ることを検出したとき、ＭＭＥ２２は、ＵＥ１８が到達可能であることを示すＮＩＤＤサブミット表示をＳＣＥＦ３０／ＩＷＫ−ＳＣＥＦ３２に向けて送る。
【００５２】
ステップ１０７：ＳＣＥＦ３０／ＩＷＫ−ＳＣＥＦ３２は、ＮＩＤＤサブミット要求メッセージ中でバッファデータをＭＭＥ２２に送る。これは、ステップ１０６においてＭＭＥ２２によって送られたＮＩＤＤサブミット表示を受信したことに応答して行われる。
【００５３】
ステップ１０８：ＭＭＥ２２は、好ましくは、３ＧＰＰ  ＴＳ  ２３．４０１  Ｖ１３．６．０、節５．３．４Ｂ．３において説明されるＭＭＥプロシージャを介したデータ転送を使用して、非ＩＰデータをＵＥ１８に配信する。オペレータ構成に応じて、ＳＣＥＦ３０／ＩＷＫ−ＳＣＥＦ３２は、課金に必要とされる必要なアカウンティング情報を生成し得る。
【００５４】
注３：成功の結果は、データがＵＥ１８において成功裡に受信されたことを暗示せず、ただ、ＵＥ１８がページングに応答しており、ＵＥ１８が到達可能であることを暗示する。
【００５５】
ステップ１０９：ＭＭＥ２２は、ＳＣＥＦ３０に向かう結果を確認する。ＩＷＫ−ＳＣＥＦ３２は、ＮＩＤＤ配信のための課金プロシージャを実施し得る。ＩＷＫ−ＳＣＥＦ３２／ＳＣＥＦ３０におけるバッファは、データが配信されたとき、または、さらなるバッファリングが新しいダウンリンクバッファリング持続時間によって示されないとき、空にされる。
【００５６】
ステップ１０１０：ＳＣＥＦ３０は、ＳＣＳ／ＡＳ３４に向かう転送を確認する。
【００５７】
注４：ＭＭＥ２２の観点から、Ｔ６ａインターフェース上のピアノードがバッファリングをハンドリングする。すなわち、非ローミングの場合におけるＳＣＥＦ３０およびローミングの場合におけるＩＷＫ−ＳＣＥＦ３２。ＳＣＥＦ３０がＴ７インターフェースを使用しているとき、バッファリングをハンドリングするのはＩＷＫ−ＳＣＥＦ３２である。
【００５８】
注５：配信試み（ステップ１０８）が何らかの理由で失敗した場合、ステップ１０４〜１０８が繰り返され得る。
【００５９】
図６は、本開示のいくつかの実施形態による、ネットワークノード３６の概略ブロック図である。ここで、ネットワークノード３６は、たとえば、ＭＭＥ２２、ＳＣＥＦ３０、ＩＷＫ−ＳＣＥＦ３２、またはＳＣＳ／ＡＳ３４など、コアネットワークノードであり得る。図示のように、ネットワークノード３６は、１つまたは複数のプロセッサ３８（たとえば、中央処理ユニット（ＣＰＵ）、特定用途向け集積回路（ＡＳＩＣ）、フィールドプログラマブルゲートアレイ（ＦＰＧＡ）など）と、メモリ４０と、ネットワークインターフェース４２とを含む。いくつかの実施形態では、上記で説明されたネットワークノード３６の機能（たとえば、ＭＭＥ２２の機能、ＳＣＥＦ３０の機能、ＩＷＫ−ＳＣＥＦ３２の機能、またはＳＣＳ／ＡＳ３４の機能）は、たとえば、メモリ４０に記憶され、（１つまたは複数の）プロセッサ３８によって実行されるソフトウェアで完全にまたは部分的に実装され得る。
【００６０】
いくつかの実施形態では、少なくとも１つのプロセッサによって実行されたとき、本明細書で説明される実施形態のうちのいずれかに従って、少なくとも１つのプロセッサにネットワークノードの機能を遂行させる命令を含むコンピュータプログラムが提供される。いくつかの実施形態では、上述のコンピュータプログラム製品を含んでいるキャリアが提供される。キャリアは、電子信号、光信号、無線信号、またはコンピュータ可読記憶媒体（たとえば、メモリなど、非一時的コンピュータ可読媒体）のうちの１つである。
【００６１】
図７は、本開示のいくつかの他の実施形態による、ネットワークノード３６の概略ブロック図である。ネットワークノード３６は、１つまたは複数のモジュール４４を含み、その各々はソフトウェアで実装される。（１つまたは複数の）モジュール４４は、本明細書で説明されるネットワークノード３６の機能を提供する。一例として、ネットワークノード３６がＭＭＥ２２である場合、（１つまたは複数の）モジュール４４は、上記で説明されたように、ＮＩＤＤサブミット要求を受信するように動作可能な受信モジュールと、ＮＩＤＤサブミット応答を送るように動作可能な応答モジュールと、ＮＩＤＤサブミット表示を送るように動作可能な表示モジュールと、ＮＩＤＤ配信を実施するように動作可能な配信モジュールとを含み得る。別の例として、ネットワークノード３６がＳＣＥＦ３０である場合、（１つまたは複数の）モジュール４４は、上記で説明されたように、ＮＩＤＤサブミット要求を受信するように動作可能な要求受信モジュールと、ＮＩＤＤサブミット要求を送るように動作可能な要求送信モジュールと、ＮＩＤＤサブミット応答を受信するように動作可能な応答受信モジュールと、ＮＩＤＤサブミット応答を送信するように動作可能な応答送信モジュールと、ＮＩＤＤサブミット表示を受信するように動作可能な表示受信モジュールとを含み得る。最後の例として、ネットワークノード３６がＳＣＳ／ＡＳ３４である場合、（１つまたは複数の）モジュール４４は、上記で説明されたように、ＮＩＤＤサブミット要求を送るように動作可能な要求送信モジュールと、ＮＩＤＤサブミット応答を受信するように動作可能な応答受信モジュールとを含み得る。
【００６２】
図８は、本開示のいくつかの実施形態による、ＵＥ１８（またはより一般的にはワイヤレスデバイス）の概略ブロック図である。図示のように、ＵＥ１８は、１つまたは複数のプロセッサ４６（たとえば、ＣＰＵ、ＡＳＩＣ、ＦＰＧＡなど）と、メモリ４８と、各々が、１つまたは複数のアンテナ５６に結合された１つまたは複数の送信機５２および１つまたは複数の受信機５４を含む１つまたは複数のトランシーバ５０とを含む。いくつかの実施形態では、上記で説明されたＵＥ１８の機能は、たとえば、メモリ４８に記憶され、（１つまたは複数の）プロセッサ４６によって実行されるソフトウェアで完全にまたは部分的に実装され得る。
【００６３】
いくつかの実施形態では、少なくとも１つのプロセッサによって実行されたとき、本明細書で説明される実施形態のうちのいずれかに従って、少なくとも１つのプロセッサにＵＥ１８の機能を遂行させる命令を含むコンピュータプログラムが提供される。いくつかの実施形態では、上述のコンピュータプログラム製品を含んでいるキャリアが提供される。キャリアは、電子信号、光信号、無線信号、またはコンピュータ可読記憶媒体（たとえば、メモリなど、非一時的コンピュータ可読媒体）のうちの１つである。
【００６４】
図９は、本開示のいくつかの他の実施形態による、ＵＥ１８（またはより一般的にはワイヤレスデバイス）の概略ブロック図である。ＵＥ１８は、１つまたは複数のモジュール５８を含み、その各々はソフトウェアで実装される。（１つまたは複数の）モジュール５８は、本明細書で説明されるワイヤレスデバイス１８（たとえば、ＵＥ）の機能を提供する。
【００６５】
特定の利点に、または特定の利点によって限定されることなしに、本開示の実施形態によって提供される利点のいくつかの例は以下の通りである。本開示は、ＳＣＥＦ３０上でのＮＩＤＤのために高レイテンシ通信をサポートする（すなわち、本開示はＰＳＭおよびｅＤＲＸをハンドリング／サポートすることができる）。本開示は、ＳＣＳ／ＡＳ３４に即時肯定応答を与えるやり方を提供する。また、フィードバックは、デバイスが到達可能になり、メッセージがデバイスに配信され得るまで（遅くとも）どのくらいの時間が予想されるかについての時間を含み得る。本開示は、モバイルデバイス（すなわち、スリープしながらＭＭＥサービスエリアを横断するデバイス）についての損失なしに、モバイル終端（すなわち、ダウンリンク）データがどのように配信され得るかについて説明する。
【００６６】
本明細書で開示されるいくつかの非限定的な実施形態／特徴は、以下の通りである。
・  ＳＣＥＦ３０／ＩＷＫ−ＳＣＥＦ３２を、ＮＩＤＤサブミット要求中でそのバッファデータを送るようにトリガするためのＮＩＤＤサブミット表示（図５、ステップ１０６）（新しいメッセージ）。
・  バッファデータを管理するためのシグナリング（図５、ステップ４、６、および７）を含む、ＳＣＥＦ３０／ＩＷＫ−ＳＣＥＦ３２におけるバッファリング（新しい概念）。
・  ＮＩＤＤサブミット応答メッセージ中の「ダウンリンクバッファリング持続時間」（ＮＩＤＤサブミット応答中の新しいパラメータ）。
・  バッファリング時間を制御するためにＳＣＥＦ３０／ＩＷＫ−ＳＣＥＦ３２において使用されるタイマー「ダウンリンクデータバッファ満了時間」。
・  （ＵＥ１８のためのＭＭコンテキストにおいて）バッファリングハンドリングを制御するためにＭＭＥ２２において使用されるタイマー「ダウンリンクＳＣＥＦバッファ満了時間」。
・  遅延した配信を通知するときにＳＣＳ／ＡＳ３４に送られるＮＩＤＤ応答メッセージ中に「予想される配信のための最遅時間」を含めるＳＣＥＦ３０。
・  データが配信されたとき、または、配信試みがそれ以上試みられないとき、ＮＩＤＤサブミット応答（図５、ステップ１０９）においてＩＷＫ−ＳＣＥＦ３２／ＳＣＥＦ３０におけるバッファを空にすること（すなわち、新しいダウンリンクバッファリング持続時間によってさらなるバッファリングが示されない、すなわち、配信試みが失敗した場合、ステップ４〜８のサイクルが繰り返され得る）。
【００６７】
提案された解決策が、主に、数個の実施形態を参照しながら上記で説明された。しかしながら、当業者によって容易に諒解されるように、上記で開示された実施形態以外の他の実施形態が、項目を示した列挙された実施形態の下記のリストによって示されているような、本開示の範囲内で等しく可能である。
【００６８】
１．  コアネットワークノード（２２、３６）における、非インターネットプロトコル（非ＩＰ）データの配信のための方法であって、
非ＩＰデータと、非ＩＰデータが配信されることになるワイヤレスデバイス（１８）の識別子とを含む非インターネットプロトコルデータ配信（ＮＩＤＤ）サブミット要求を受信すること（１０３）と、
ワイヤレスデバイス（１８）が到達可能でないと決定すると、非ＩＰデータがワイヤレスデバイス（１８）に配信されなかったことを示すＮＩＤＤサブミット応答を送ること（１０４）と、
ワイヤレスデバイス（１８）が到達可能であると決定すると、ワイヤレスデバイス（１８）が到達可能であることを示すＮＩＤＤサブミット表示を送ること（１０６）と
を含む、方法。
【００６９】
２．  ワイヤレスデバイス（１８）が到達可能であることを示すＮＩＤＤサブミット表示を送ること（１０６）に続いて、
ワイヤレスデバイス（１８）に配信されることになる非ＩＰデータを含む第２のＮＩＤＤサブミット要求を受信すること（１０７）と、
非ＩＰデータをワイヤレスデバイス（１８）に配信すること（１０８）と
をさらに含む、項目１に記載の方法。
【００７０】
３．  ＮＩＤＤサブミット応答を送ること（１０４）は、応答がダウンリンクバッファリング持続時間を含むように応答を送ることを含む、項目１または２に記載の方法。
【００７１】
４．  ダウンリンクバッファリング持続時間に基づいて、ワイヤレスデバイス（１８）のためのＭＭコンテキストにおいて、ダウンリンクバッファ満了時間についての新しい値を記憶することをさらに含む、項目３に記載の方法。
【００７２】
５．  ネットワークノード（２２、３６）がモビリティ管理エンティティ（２２）であり、
ＮＩＤＤサブミット要求を受信すること（１０３）が、サービス能力公開機能（ＳＣＥＦ）（３０）またはインターワーキングＳＣＥＦ（ＩＷＫ−ＳＣＥＦ）（３２）から要求を受信すること（１０３）を含み、
ＮＩＤＤサブミット応答を送ること（１０４）が、ＳＣＥＦ（３０）またはＩＷＫ−ＳＣＥＦ（３２）に応答を送ることを含む、
項目１から４のいずれか１つに記載の方法。
【００７３】
６．  セルラー通信ネットワーク（１０）のためのコアネットワークノード（２２、３６）であって、非インターネットプロトコル（非ＩＰ）データの配信を行い、
ネットワークインターフェース（４２）と、
１つまたは複数のプロセッサ（３８）と、
１つまたは複数のプロセッサ（３８）によって実行可能な命令を記憶するメモリ（４０）と
を含み、それにより、コアネットワークノード（２２、３６）は、
ネットワークインターフェース（４２）を介して、非ＩＰデータと、非ＩＰデータが配信されることになるワイヤレスデバイス（１８）の識別子とを含む非インターネットプロトコルデータ配信（ＮＩＤＤ）サブミット要求を受信することと、
ワイヤレスデバイス（１８）が到達可能でないと決定すると、ネットワークインターフェース（４２）を介して、非ＩＰデータがワイヤレスデバイス（１８）に配信されなかったことを示すＮＩＤＤサブミット応答を送ることと、
ワイヤレスデバイス（１８）が到達可能であると決定すると、ワイヤレスデバイス（１８）が到達可能であることを示すＮＩＤＤサブミット表示を送ること（１０６）と
を行うように動作可能である、コアネットワークノード（２２、３６）。
【００７４】
７．  セルラー通信ネットワーク（１０）のためのコアネットワークノード（２２、３６）であって、非インターネットプロトコル（非ＩＰ）データの配信を行い、
非ＩＰデータと、非ＩＰデータが配信されることになるワイヤレスデバイス（１８）の識別子とを含む非インターネットプロトコルデータ配信（ＮＩＤＤ）サブミット要求を受信することと、
ワイヤレスデバイス（１８）が到達可能でないと決定すると、非ＩＰデータがワイヤレスデバイス（１８）に配信されなかったことを示すＮＩＤＤサブミット応答を送ることと、
ワイヤレスデバイス（１８）が到達可能であると決定すると、ワイヤレスデバイス（１８）が到達可能であることを示すＮＩＤＤサブミット表示を送ること（１０６）と
を行うように適応される、コアネットワークノード（２２、３６）。
【００７５】
８．  ネットワークノード（２２、３６）が項目２から５のいずれか１つに記載の方法を実施するようにさらに適応される、項目７に記載のコアネットワークノード（２２、３６）。
【００７６】
９．  セルラー通信ネットワーク（１０）のためのコアネットワークノード（２２、３６）であって、非インターネットプロトコル（非ＩＰ）データの配信を行い、
非ＩＰデータと、非ＩＰデータが配信されることになるワイヤレスデバイス（１８）の識別子とを含む非インターネットプロトコルデータ配信（ＮＩＤＤ）サブミット要求を受信するための手段と、
ワイヤレスデバイス（１８）が到達可能でないと決定すると、非ＩＰデータがワイヤレスデバイス（１８）に配信されなかったことを示すＮＩＤＤサブミット応答を送るための手段と、
ワイヤレスデバイス（１８）が到達可能であると決定すると、ワイヤレスデバイス（１８）が到達可能であることを示すＮＩＤＤサブミット表示を送るための手段と
を含む、コアネットワークノード（２２、３６）。
【００７７】
１０．  セルラー通信ネットワーク（１０）のためのコアネットワークノード（２２、３６）であって、非インターネットプロトコル（非ＩＰ）データの配信を行い、
非ＩＰデータと、非ＩＰデータが配信されることになるワイヤレスデバイス（１８）の識別子とを含む非インターネットプロトコルデータ配信（ＮＩＤＤ）サブミット要求を受信するように動作可能な要求受信モジュールと、
ワイヤレスデバイス（１８）が到達可能でないと決定すると、非ＩＰデータがワイヤレスデバイス（１８）に配信されなかったことを示すＮＩＤＤサブミット応答を送るように動作可能な応答送信モジュールと
を含み、
受信モジュールは、ワイヤレスデバイス（１８）が到達可能であると決定すると、ワイヤレスデバイス（１８）が到達可能であることを示すＮＩＤＤサブミット表示を送る（１０６）ように動作可能である、
コアネットワークノード（２２、３６）。
【００７８】
１１．  セルラー通信ネットワーク（１０）のためのコアネットワークノード（２２、３６）の１つまたは複数のプロセッサ（３８）によって実行されたとき、コアネットワークノード（２２、３６）に、
非インターネットプロトコル（非ＩＰ）データと、非ＩＰデータが配信されることになるワイヤレスデバイス（１８）の識別子とを含む非インターネットプロトコルデータ配信（ＮＩＤＤ）サブミット要求を受信することと、
ワイヤレスデバイス（１８）が到達可能でないと決定すると、非ＩＰデータがワイヤレスデバイス（１８）に配信されなかったことを示すＮＩＤＤサブミット応答を送ることと、
ワイヤレスデバイス（１８）が到達可能であると決定すると、ワイヤレスデバイス（１８）が到達可能であることを示すＮＩＤＤサブミット表示を送ること（１０６）と
を行わせるソフトウェアを記憶する非一時的コンピュータ可読媒体。
【００７９】
１２．  少なくとも１つのプロセッサによって実行されたとき、少なくとも１つのプロセッサに、項目１から５のいずれか１つに記載の方法を遂行させる命令を含む、コンピュータプログラム。
【００８０】
１３．  項目１２に記載のコンピュータプログラムを含むキャリアであって、キャリアが、電子信号、光信号、無線信号、またはコンピュータ可読記憶媒体のうちの１つである、キャリア。
【００８１】
１４．  ネットワークノード（３０／３２、３６）における、非インターネットプロトコル（非ＩＰ）データの配信のための方法であって、
非ＩＰデータと、非ＩＰデータが配信されることになるワイヤレスデバイス（１８）の識別子とを含む第１の非インターネットプロトコルデータ配信（ＮＩＤＤ）サブミット要求を受信すること（１）と、
非ＩＰデータと、非ＩＰデータが配信されることになるワイヤレスデバイス（１８）の識別子とを含む第２のＮＩＤＤサブミット要求をモビリティ管理エンティティ（２２）に送ること（１０３）と、
非ＩＰデータがワイヤレスデバイス（１８）に配信されなかったことを示す第１のＮＩＤＤサブミット応答をモビリティ管理エンティティ（２２）から受信すること（１０４）と
を含む、方法。
【００８２】
１５．  ネットワークノード（３０／３２、３６）が非ＩＰデータをバッファする、項目１４に記載の方法。
【００８３】
１６．  第１の要求を受信すること（１）が、サービス能力サーバ（ＳＣＳ）／アプリケーションサーバ（ＡＳ）（３４）から第１の要求を受信すること（１）を含み、本方法が、ワイヤレスデバイス（１８）への非ＩＰデータの遅延した配信をＳＣＳ／ＡＳ（３４）に通知する第２の応答をＳＣＳ／ＡＳ（３４）に送ること（１０５）をさらに含む、項目１４または１５に記載の方法。
【００８４】
１７．  第２の応答が、ワイヤレスデバイス（１８）への非ＩＰデータの予想される配信のための最遅時間をＳＣＳ／ＡＳ（３４）にさらに通知する、項目１６に記載の方法。
【００８５】
１８．  モビリティ管理エンティティ（２２）から第１のＮＩＤＤサブミット応答を受信すること（１０４）に続いて、
モビリティ管理エンティティ（２２）から、ワイヤレスデバイス（１８）が到達可能であることを示すＮＩＤＤサブミット表示を受信すること（１０６）と、
ワイヤレスデバイス（１８）が到達可能であることを示すＮＩＤＤサブミット表示を受信する（１０６）と、ワイヤレスデバイス（１８）に配信されることになる非ＩＰデータを含む第３のＮＩＤＤサブミット要求をモビリティ管理エンティティ（２２）に送ること（１０７）と
をさらに含む、項目１４から１７のいずれか１つに記載の方法。
【００８６】
１９．  モビリティ管理エンティティ（２２）から受信された第１のＮＩＤＤ応答が、ネットワークノード（３０／３２、３６）における非ＩＰデータのためのバッファリング時間を制御するためにネットワークノード（３０／３２、３６）によって使用されるダウンリンクバッファリング持続時間を含む、項目１４から１８のいずれか１つに記載の方法。
【００８７】
２０．  非ＩＰデータがネットワークノード（３０／３２、３６）においてバッファされ、方法は、ダウンリンクバッファリング持続時間の満了時に非ＩＰデータがワイヤレスデバイス（１８）に配信されたという応答をモビリティ管理エンティティ（２２）から受信すると、ネットワークノード（３０／３２、３６）におけるバッファから非ＩＰデータを削除することをさらに含む、項目１４から１９のいずれか１つに記載の方法。
【００８８】
２１．  ネットワークノード（３０／３２、３６）がサービス能力公開機能（ＳＣＥＦ）（３０）またはインターワーキングＳＣＥＦ（ＩＷＫ−ＳＣＥＦ）（３２）である、項目１４から２０のいずれか１つに記載の方法。
【００８９】
２２．  セルラー通信ネットワーク（１０）のためのネットワークノード（３０／３２、３６）であって、非インターネットプロトコル（非ＩＰ）データの配信を行い、
ネットワークインターフェース（４２）と、
１つまたは複数のプロセッサ（３８）と、
１つまたは複数のプロセッサ（３８）によって実行可能な命令を記憶するメモリ（４０）とを含み、それにより、ネットワークノード（３０／３２、３６）は、
非ＩＰデータと、非ＩＰデータが配信されることになるワイヤレスデバイス（１８）の識別子とを含む第１のインターネットプロトコルデータ配信（ＮＩＤＤ）サブミット要求を受信することと、
非ＩＰデータと、非ＩＰデータが配信されることになるワイヤレスデバイス（１８）の識別子とを含む第２のＮＩＤＤサブミット要求をモビリティ管理エンティティ（２２）に送ることと、
非ＩＰデータがワイヤレスデバイス（１８）に配信されなかったことを示す第１のＮＩＤＤサブミット応答をモビリティ管理エンティティ（２２）から受信することと
を行うように動作可能である、ネットワークノード（３０／３２、３６）。
【００９０】
２３．  セルラー通信ネットワーク（１０）のためのネットワークノード（３０／３２、３６）であって、非インターネットプロトコル（非ＩＰ）データの配信を行い、
非ＩＰデータと、非ＩＰデータが配信されることになるワイヤレスデバイス（１８）の識別子とを含む第１のインターネットプロトコルデータ配信（ＮＩＤＤ）サブミット要求を受信すること（１）と、
非ＩＰデータと、非ＩＰデータが配信されることになるワイヤレスデバイス（１８）の識別子とを含む第２のＮＩＤＤサブミット要求をモビリティ管理エンティティ（２２）に送ること（１０３）と、
非ＩＰデータがワイヤレスデバイス（１８）に配信されなかったことを示す第１のＮＩＤＤＦサブミット応答をモビリティ管理エンティティ（２２）から受信すること（１０４）と
を行うように適応される、ネットワークノード（３０／３２、３６）。
【００９１】
２４．  ネットワークノード（３０／３２、３６）が項目１５から２１のいずれか１つに記載の方法を実施するようにさらに適応される、項目２３に記載のネットワークノード（３０／３２、３６）。
【００９２】
２５．  セルラー通信ネットワーク（１０）のためのネットワークノード（３０／３２、３６）であって、非インターネットプロトコル（非ＩＰ）データの配信を行い、
非ＩＰデータと、非ＩＰデータが配信されることになるワイヤレスデバイス（１８）の識別子とを含む第１のインターネットプロトコルデータ配信（ＮＩＤＤ）サブミット要求を受信するための手段と、
非ＩＰデータと、非ＩＰデータが配信されることになるワイヤレスデバイス（１８）の識別子とを含む第２のＮＩＤＤサブミット要求をモビリティ管理エンティティ（２２）に送るための手段と、
非ＩＰデータがワイヤレスデバイス（１８）に配信されなかったことを示す第１のＮＩＤＤサブミット応答をモビリティ管理エンティティ（２２）から受信するための手段と
を含む、ネットワークノード（３０／３２、３６）。
【００９３】
２６．  セルラー通信ネットワーク（１０）のためのネットワークノード（３０／３２、３６）であって、非インターネットプロトコル（非ＩＰ）データの配信を行い、
非ＩＰデータと、非ＩＰデータが配信されることになるワイヤレスデバイス（１８）の識別子とを含む第１のインターネットプロトコルデータ配信（ＮＩＤＤ）サブミット要求を受信するように動作可能な要求受信モジュールと、
非ＩＰデータと、非ＩＰデータが配信されることになるワイヤレスデバイス（１８）の識別子とを含む第２のＮＩＤＤサブミット要求をモビリティ管理エンティティ（２２）に送るように動作可能な要求送信モジュールと、
非ＩＰデータがワイヤレスデバイス（１８）に配信されなかったことを示す第１のＮＩＤＤサブミット応答をモビリティ管理エンティティ（２２）から受信するように動作可能な応答受信モジュールと
を含む、ネットワークノード（３０／３２、３６）。
【００９４】
２７．  セルラー通信ネットワーク（１０）のためのネットワークノード（３０／３２、３６）の１つまたは複数のプロセッサ（３８）によって実行されたとき、ネットワークノード（３０／３２、３６）に、
非インターネットプロトコル（非ＩＰ）データと、非ＩＰデータが配信されることになるワイヤレスデバイス（１８）の識別子とを含む第１のインターネットプロトコルデータ配信（ＮＩＤＤ）サブミット要求を受信すること（１）と、
非ＩＰデータと、非ＩＰデータが配信されることになるワイヤレスデバイス（１８）の識別子とを含む第２のＮＩＤＤサブミット要求をモビリティ管理エンティティ（２２）に送ること（１０３）と、
非ＩＰデータがワイヤレスデバイス（１８）に配信されなかったことを示す第１のＮＩＤＤサブミット応答をモビリティ管理エンティティ（２２）から受信すること（１０４）と
を行わせるソフトウェアを記憶する、非一時的コンピュータ可読媒体。
【００９５】
２８．  少なくとも１つのプロセッサによって実行されたとき、少なくとも１つのプロセッサに、項目１４から２１のいずれか１つに記載の方法を遂行させる命令を含む、コンピュータプログラム。
【００９６】
２９．  項目２８に記載のコンピュータプログラムを含むキャリアであって、キャリアが、電子信号、光信号、無線信号、またはコンピュータ可読記憶媒体のうちの１つである、キャリア。
【００９７】
本開示全体にわたって以下の頭字語が使用される。
３ＧＰＰ  第３世代パートナーシッププロジェクト
５Ｇ  第５世代
ＡＳ  アプリケーションサーバ
ＡＳＩＣ  特定用途向け集積回路
ＣＩｏＴ  セルラーモノのインターネット
ＣＰＵ  中央処理ユニット
ＤＲＸ  間欠受信
ｅＤＲＸ  拡張間欠受信
ｅＮＢ  エンハンストまたはエボルブドノードＢ
ＥＰＣ  エボルブドパケットコア
ＥＰＳ  エボルブドパケットシステム
Ｅ−ＵＴＲＡＮ  エンハンストまたはエボルブドユニバーサル地上波無線アクセスネットワーク
ＦＰＧＡ  フィールドプログラマブルゲートアレイ
ＨＳＳ  ホーム加入者サーバ
ＩＤ  識別子
ＩＰ  インターネットプロトコル
ＩＳＤＮ  国際サービスデジタルネットワーク
ＩＷＫ−ＳＣＥＦ  インターワーキングサービス能力公開機能
ＬＴＥ  Ｌｏｎｇ  Ｔｅｒｍ  Ｅｖｏｌｕｔｉｏｎ
ＭＭＥ  モビリティ管理エンティティ
ＭＯ  モバイル発信
ＭＳＩＳＤＮ  移動局国際加入者ディレクトリ番号
ＭＴＣ  マシン型通信
ＮＡＳ  非アクセス層
ＮＩＤＤ  非インターネットプロトコルデータ配信
ＰＤＣＣＨ  物理ダウンリンク制御チャネル
ＰＤＮ  パケットデータネットワーク
Ｐ−ＧＷ  パケットデータネットワークゲートウェイ
ＰＯ  ページングオケージョン
ｐＲＡＵ  周期ルーティングエリア更新
ＰＳＭ  電力節約モード
ｐＴＡＵ  周期トラッキングエリア更新
ＲＡＮ  無線アクセスネットワーク
ＳＣＥＦ  サービス能力公開機能
ＳＣＳ  サービス能力サーバ
Ｓ−ＧＷ  サービングゲートウェイ
ＳＭＳ  ショートメッセージサービス
ＴＳ  技術仕様
ＵＥ  ユーザ機器
【００９８】
当業者は、本開示の実施形態に対する改善および変更を認識されよう。すべてのそのような改善および変更は、本明細書で開示される概念の範囲内で考慮される。
【図１】
2019510440.tif 000003
【図２】
2019510440.tif 000004
【図３】
2019510440.tif 000005
【図４】
2019510440.tif 000006
【図５】
2019510440.tif 000007
【図６】
2019510440.tif 000008
【図７】
2019510440.tif 000009
【図８】
2019510440.tif 000010
【図９】
2019510440.tif 000011
【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
コアネットワークノード（２２、３６）における、非インターネットプロトコル（非ＩＰ）データの配信のための方法であって、
非ＩＰデータと、前記非ＩＰデータが配信されることになるワイヤレスデバイス（１８）の識別子とを含む非インターネットプロトコルデータ配信（ＮＩＤＤ）サブミット要求を受信すること（１０３）と、
前記ワイヤレスデバイス（１８）が到達可能でないと決定すると、前記非ＩＰデータが前記ワイヤレスデバイス（１８）に配信されなかったことを示すＮＩＤＤサブミット応答を送ること（１０４）と、
前記ワイヤレスデバイス（１８）が到達可能であると決定すると、前記ワイヤレスデバイス（１８）が到達可能であることを示すＮＩＤＤサブミット表示をサービス能力公開機能（ＳＣＥＦ）（３０）またはインターワーキングＳＣＥＦ（ＩＷＫ−ＳＣＥＦ）（３２）に向けて送ること（１０６）と
を含む、方法。
【請求項２】
前記ワイヤレスデバイス（１８）が到達可能であることを示す前記ＮＩＤＤサブミット表示を送ること（１０６）に続いて、
前記ワイヤレスデバイス（１８）に配信されることになる前記非ＩＰデータを含む第２のＮＩＤＤサブミット要求を受信すること（１０７）と、
前記非ＩＰデータを前記ワイヤレスデバイス（１８）に配信すること（１０８）と
をさらに含む、請求項１に記載の方法。
【請求項３】
前記ＮＩＤＤサブミット応答を送ること（１０４）は、前記応答がダウンリンクバッファリング持続時間を含むように前記応答を送ることを含む、請求項１または２に記載の方法。
【請求項４】
前記ダウンリンクバッファリング持続時間に基づいて、前記ワイヤレスデバイス（１８）のためのＭＭコンテキストにおいて、ダウンリンクバッファ満了時間についての新しい値を記憶することをさらに含む、請求項３に記載の方法。
【請求項５】
前記ネットワークノード（２２、３６）がモビリティ管理エンティティ（２２）であり、
前記ＮＩＤＤサブミット要求を受信すること（１０３）が、サービス能力公開機能（ＳＣＥＦ）（３０）またはインターワーキングＳＣＥＦ（ＩＷＫ−ＳＣＥＦ）（３２）から前記要求を受信すること（１０３）を含み、
前記ＮＩＤＤサブミット応答を送ること（１０４）が、前記ＳＣＥＦ（３０）または前記ＩＷＫ−ＳＣＥＦ（３２）に前記応答を送ることを含む、
請求項１から４のいずれか一項に記載の方法。
【請求項６】
セルラー通信ネットワーク（１０）のためのコアネットワークノード（２２、３６）であって、非インターネットプロトコル（非ＩＰ）データの配信を行い、
非ＩＰデータと、前記非ＩＰデータが配信されることになるワイヤレスデバイス（１８）の識別子とを含む非インターネットプロトコルデータ配信（ＮＩＤＤ）サブミット要求を受信することと、
前記ワイヤレスデバイス（１８）が到達可能でないと決定すると、前記非ＩＰデータが前記ワイヤレスデバイス（１８）に配信されなかったことを示すＮＩＤＤサブミット応答を送ることと、
前記ワイヤレスデバイス（１８）が到達可能であると決定すると、前記ワイヤレスデバイス（１８）が到達可能であることを示すＮＩＤＤサブミット表示をサービス能力公開機能（ＳＣＥＦ）（３０）またはインターワーキングＳＣＥＦ（ＩＷＫ−ＳＣＥＦ）（３２）に向けて送ること（１０６）と
を動作可能に行うように適応される、コアネットワークノード（２２、３６）。
【請求項７】
前記ネットワークノード（２２、３６）が請求項２から５のいずれか一項に記載の方法を実施するようにさらに適応される、請求項６に記載のコアネットワークノード（２２、３６）。
【国際調査報告】
2019510440.tif 000012
2019510440.tif 000013
2019510440.tif 000014